(57)【特許請求の範囲】
【請求項１】
画像データをファイル化して保管する画像蓄積手段と接続され、
受信モードとして、受信した画像データを前記画像蓄積手段に転送し保管する蓄積モードを有し、
画像データを受信する際、前記蓄積モードが選択されている場合、送信側ファクシミリ装置に、画像データに加工を行わないで送信するように通知し、また、受信した前記画像データを前記画像蓄積手段へ転送することを特徴とするファクシミリ装置。
【請求項２】
前記画像蓄積手段と接続され、
前記蓄積モードを有し、
画像データを送信する際、受信側ファクシミリ装置から、前記画像データに加工を行わないで送信するように通知された場合、前記画像データに加工を行わないで送信し、また、画像データを受信する際、前記蓄積モードが選択されている場合、送信側ファクシミリ装置に、前記画像データに加工を行わないで送信するように通知し、また、受信した前記画像データを前記画像蓄積手段へ転送することを特徴とする請求項１記載のファクシミリ装置。
【請求項３】
前記加工は、文字列の付加および挿入処理であることを特徴とする請求項１または２記載のファクシミリ装置。
【請求項４】
前記加工は、縮小および変倍処理であることを特徴とする請求項１または２記載のファクシミリ装置。
【請求項５】
同一宛先に画像データを送信する際、受信側ファクシミリ装置が前記蓄積モードを選択されている場合、列信を行わないようにすることを特徴とする請求項１から４のいずれか１項に記載のファクシミリ装置。
【請求項６】
前記画像蓄積手段の受信能力を記憶し、画像データを受信する際、前記蓄積モードを選択している場合、前記受信能力を標準能力として送信側ファクシミリ装置に通知することを特徴とする請求項１から５のいずれか１項に記載のファクシミリ装置。
【請求項７】
前記画像蓄積手段の受信能力は、符号化能力を含むことを特徴とする請求項６記載のファクシミリ装置。
【請求項８】
前記画像蓄積手段の受信能力は、解像度能力を含むことを特徴とする請求項６記載のファクシミリ装置。
【請求項９】
前記画像蓄積手段の受信能力は、記録幅能力を含むことを特徴とする請求項６記載のファクシミリ装置。
【発明の詳細な説明】
【０００１】
【発明の属する技術分野】
本発明は、ファクシミリ装置に関し、特に、ペーパーレス受信可能なファクシミリ装置に関する。
【０００２】
【従来の技術】
従来より、画像データをペーパーレスで電子文書として保管および管理可能なファクシミリ装置が存在する。
【０００３】
画像データをペーパーレスで保管および管理可能なファクシミリ装置として、例えば、特開平６−３３４７９４号公報に開示されたファクシミリ装置があり、画像蓄積手段として、光ディスクおよび光ディスクドライブを備えることにより、大容量の画像データを管理することが可能である。
【０００４】
上記ファクシミリ装置では、文書を受信する場合、通常の受信印刷をすることもできるし、出力はせずに、画像蓄積手段に転送し電子文書として保管することもできる。また、文書を送信する場合、読み取った画像データをそのまま送信することもできるし、一旦、画像蓄積手段に保管することもできる。
【０００５】
また、記憶メディア（この場合、光ディスク）が交換可能で、持ち運びできることにより、同様の構成を備えた他のファクシミリ装置でもデータを扱うことができる。また、予約送信（保管した文書を指定した日時に送信）、自動代行受信（受信側ファクシミリが用紙切れなどの不都合の場合に、自動的に画像蓄積手段の方に受信・保管）などの様々な機能が使用可能である。
【０００６】
【発明が解決しようとする課題】
しかしながら、従来のファクシミリ装置では、送信側の処理において、画像データに、発信日時や発信者番号などの付加、相互通信のための画面サイズ変換などの処理を施しており、加工された画像データしか受信することができなかった。
【０００７】
このため、受信した画像データを、通常の受信印刷処理をせずに、画像蓄積手段に転送して電子文書（ファイル）として保管したい場合、加工された画像データをファイルとして保存することになるという問題が生じる。
【０００８】
また、同一宛先に複数の画像データを列信すると、一つの画像データとして処理されることがあり、Ｇ３通信の場合、受信側ではひとまとまりに受信した画像データを区分することができないので、電子文書として扱いたい場合にも不便である。
【０００９】
また、画像蓄積手段が、符号化手段などを備えていて、ファクシミリ装置本体の受信能力以上の能力を有している場合でも、ファクシミリ装置本体の受信能力で受信していたので、画像蓄積手段の受信能力を活かすことができなかった。
【００１０】
本発明は、上記課題に鑑みてなされたものであり、受信した画像データを電子文書として保管可能な画像蓄積手段と接続されたファクシミリ装置において、受信した画像データを電子文書として保管するモードを選択している場合は、通信プロトコルにより、送信側ファクシミリ装置に対して、画像データを加工せずに送信することを宣言（命令）し、受信側で電子文書として扱いやすいようにするファクシミリ装置を提供することを第１の目的としている。
【００１１】
また、画像蓄積手段に保管するモードを選択している場合、送信側ファクシミリ装置における列信処理を禁止し、複数の文書が一つの文書としてまとめて処理されることのないようにするファクシミリ装置を提供することを第２の目的としている。
【００１２】
また、画像蓄積手段に保管するモードを選択している場合、画像蓄積システムの有している能力を送信側ファクシミリにプロトコル上通知することにより、受信側ファクシミリ本体の能力ではなく、画像蓄積システムの能力で受信することが可能なファクシミリ装置を提供することを第３の目的とする。
【００１３】
【課題を解決するための手段】
かかる目的を達成するために、請求項１記載の発明は、画像データをファイル化して保管する画像蓄積手段と接続され、受信モードとして、受信した画像データを画像蓄積手段に転送し保管する蓄積モードを有し、画像データを受信する際、蓄積モードが選択されている場合、送信側ファクシミリ装置に、画像データに加工を行わないで送信するように通知し、また、受信した画像データを画像蓄積手段へ転送することを特徴としている。
【００１４】
請求項２記載の発明は、画像蓄積手段と接続され、蓄積モードを有し、画像データを送信する際、受信側ファクシミリ装置から、画像データに加工を行わないで送信するように通知された場合、画像データに加工を行わないで送信し、また、画像データを受信する際、蓄積モードが選択されている場合、送信側ファクシミリ装置に、画像データに加工を行わないで送信するように通知し、また、受信した画像データを画像蓄積手段へ転送することを特徴としている。
【００１５】
請求項３記載の発明は、加工は、文字列の付加および挿入処理であることを特徴としている。
【００１６】
請求項４記載の発明は、加工は、縮小および変倍処理であることを特徴としている。
【００１７】
請求項５記載の発明は、同一宛先に画像データを送信する際、受信側ファクシミリ装置が蓄積モードを選択されている場合、列信を行わないようにすることを特徴としている。
【００１８】
請求項６記載の発明は、画像蓄積手段の受信能力を記憶し、画像データを受信する際、蓄積モードを選択している場合、受信能力を標準能力として送信側ファクシミリ装置に通知することを特徴としている。
【００１９】
請求項７記載の発明は、画像蓄積手段の受信能力は、符号化能力を含むことを特徴としている。
【００２０】
請求項８記載の発明は、画像蓄積手段の受信能力は、解像度能力を含むことを特徴としている。
【００２１】
請求項９記載の発明は、画像蓄積手段の受信能力は、記録幅能力を含むことを特徴としている。
【００２２】
【発明の実施の形態】
以下、本発明の実施の形態を添付図面を参照しながら詳細に説明する。なお、通信プロトコルは、Ｇ３規格を例に説明するが、Ｇ４規格も想定するものとする。
【００２３】
図１は本発明の実施の形態におけるファクシミリ装置の構成を示すブロック図である。
図１において、システム制御部１は、本発明のファクシミリ装置全体を監視制御する。システムメモリ２は、装置にあらかじめ登録される情報を格納する。また、通信に必要なデータを一時的に格納する。画像メモリ３は、原稿読取部４において読み取られた画像データや受信した画像データを一時的に格納する。原稿読取部４は原稿をスキャンし、画像データとして読み取る。印刷部５は、画像データを用紙に印刷する。操作部６は、ユーザによる各種操作を受け付ける。ＤＣＲ７は、符号化方式により、画像データを圧縮および展開する処理を行う。Ｇ３モデム８は、Ｇ３通信のためにデータを変調復調する。ＮＣＵ９は、回線へのダイヤル発信やリンギングの検出を行う。Ｉ／Ｏインターフェイス１０は、画像蓄積システム１１を接続する。
【００２４】
画像蓄積システム１１は、本体で通常の受信印刷処理（以下、「通常印刷」と表記する）をする以外に、受信した画像データを電子文書（ファイル）として保管し扱うことを可能にするためのシステムである。画像蓄積システム１１は、ファクシミリ装置本体より転送された画像データをファイル（中身は画像データ）として保管する。ユーザは、操作部６あるいは画像蓄積システム１１の有する操作手段により、保管してあるファイルを選択し、印刷や送信などの処理を行うことができる。
【００２５】
図２は、本発明の実施の形態におけるシステム概略図である。
本発明では、ユーザは、受信モードとして、受信した画像データを通常のように印刷するモード（「通常印刷モード」とする）、受信した画像データを画像蓄積システム１１へ転送し保管するモード（「蓄積モード」とする）などを随時選択および設定可能である。
【００２６】
図２において、受信ファクシミリ２３は、蓄積モードの場合、送信ファクシミリ２１からの画像データを印刷することなく画像蓄積システム２４へ転送し、ファイルとして保管し、文書のペーパーレス管理を実現する。また、受信ファクシミリ２３と画像蓄積システム２４との接続は、電話回線による接続、シリアルケーブルによる接続、ネットワークによる接続、ＰＣＩバスによる接続などが考えられる。
【００２７】
図３は、本発明の実施の形態におけるファクシミリ装置間の通信プロトコルのやりとりを示す図である。
【００２８】
図４は、本発明の第１の実施の形態におけるファクシミリ装置の動作を説明するフローチャートである。以下、図に沿って説明する。
【００２９】
原稿受信側ファクシミリは、電源投入後、画像蓄積システム１１が接続されているかどうかをチェックし（ステップＳ４０１、ステップＳ４０２）、接続されていない場合は、通常のファクシミリとして動作する（ステップＳ４０３）。接続されている場合は、本発明の動作を行う（ステップＳ４０２／ＹＥＳ）。
【００３０】
なお、図４では、受信側ファクシミリは、前述した蓄積モードが選択されているものとして説明する。
【００３１】
送信側ファクシミリは、待機時、オペレータより送信する原稿あるいはファイルを指定されると（ステップＳ４１３、ステップＳ４１４）、回線より呼び出しの発呼を行い（ステップＳ４１５）、送信を開始する（ステップＳ４１６）。
【００３２】
受信側ファクシミリは、待機時、回線からの呼出音に対して、ＮＣＵ９を制御して着信し、受信を開始する（ステップＳ４０４からステップＳ４０６）。
【００３３】
受信側ファクシミリは、Ｇ３モデム８からＣＥＤ／ＤＩＳ／ＮＳＦなどの信号を送信側ファクシミリへ送出する（ステップＳ４０７、ステップＳ４０８）。このときＤＩＳ／ＮＳＦ信号では受信側ファクシミリの受信能力が宣言されている。また、通常印刷しないことをプロトコル上宣言し、送信側ファクシミリに対し、送信する画像データに加工を施さないように命令する。
【００３４】
送信側ファクシミリでは、受信側ファクシミリからのＤＩＳ／ＮＳＦ信号をＧ３モデム８より受信して、受信側ファクシミリの受信能力および受信モードなどを認識する（ステップＳ４１７、ステップＳ４１８）。
【００３５】
送信側ファクシミリは、ＤＣＳ／ＮＳＳ／ＴＣＦなどの信号を送信し（ステップＳ４１９）、受信側ファクシミリからのＣＦＲ信号を受信して、双方の最大能力で画像データを送信するが、このとき、発信日時・発信者番号などの情報の付加、あるいは、相互通信のための画面サイズ変換などの処理を行わないで送信するように制御を行う（ステップＳ４２０）。画像データ送信終了後（ステップＳ４２１）、待機状態へ戻る。
【００３６】
受信側ファクシミリは、ＤＣＳ／ＮＳＳ／ＴＣＦなどの信号を受信後（ステップＳ４０９）、ＣＦＲ信号を送信し、画像データの受信を開始する（ステップＳ４１０）。画像データの受信を終了後（ステップＳ４１１）、受信した画像データを画像蓄積システム１１へ転送し（ステップＳ４１２）、待機状態へ戻る。画像蓄積システム１１は、転送された画像データをファイルとして保管する。
【００３７】
図５は、本発明の第２の実施の形態におけるファクシミリ装置の動作を説明するフローチャートである。図５は、図４の第１の実施例において、送信側ファクシミリにおける画像データ送信終了後、さらに同一宛先の画像データを送信する場合の例であり、第１の画像データの送信終了後の動作を説明する。
【００３８】
送信側ファクシミリにおいて、第１の画像データの送信終了後、同一宛先の送信文書があるかどうかを判断する（ステップＳ５０１）。ない場合は（ステップＳ５０１／ＮＯ）、終了して待機状態に戻る（ステップＳ５０４）。ある場合は（ステップＳ５０１／ＹＥＳ）、受信側ファクシミリの受信モードを確認し（ステップＳ５０２）、通常印刷モードの場合（ステップＳ５０２／ＮＯ）、列信する（ステップＳ５０５）。蓄積モードの場合（ステップＳ５０２／ＹＥＳ）、列信せずに待機状態へ戻る（ステップＳ５０３）。
【００３９】
図６は、本発明の第３の実施の形態におけるファクシミリ装置の動作を説明するフローチャートである。図６においても、受信側ファクシミリ装置の受信モードは蓄積モードとする。
【００４０】
ステップＳ６０１からステップＳ６０３までは第１の実施例と同様である。
【００４１】
受信側ファクシミリは、画像蓄積システム１１から、画像蓄積システム１１の有する、受信画像データについての処理能力（符号化能力、解像度能力、記録幅能力などを含む）の通知を受けた場合は、この能力をシステムメモリ２に記憶する（ステップＳ６０４、ステップＳ６０５）。
【００４２】
以下、ステップＳ６０６以降、第１の実施例の場合とほぼ同様であるが、ステップＳ６１０では、受信側ファクシミリ本体の受信能力ではなく、システムメモリ２に記憶した、画像蓄積システム１１の受信能力が宣言されており、受信側ファクシミリは、画像蓄積システム１１の受信能力で画像データを受信する。
【００４３】
【発明の効果】
以上の説明から明らかなように、請求項１記載の発明によれば、送信側に、送信する画像データを加工しないように通知するため、送信側が画像データに加工を行わないで送信した場合、受信側で電子文書として扱いやすくなる。
【００４４】
請求項２記載の発明によれば、送信側で、送信する画像データを加工しないので、受信側で電子文書として扱いやすくなる。
【００４５】
請求項３記載の発明によれば、送信側で発信日時などの情報を送信画像データに付加あるいは挿入しないので、受信側で電子文書として扱いやすくなる。
【００４６】
請求項４記載の発明によれば、送信側で送信する画像データに縮小あるいは変倍処理を行わないので、受信側で画像劣化していない電子文書を得ることができる。
【００４７】
請求項５記載の発明によれば、受信側が、受信した画像データを画像蓄積システムに保管するモードを選択している場合、送信側は列信を行わないので、複数の文書が一つの文書としてまとめられて処理されることがなくなり、受信側で電子文書として扱いやすくなる。
【００４８】
請求項６記載の発明によれば、画像蓄積手段が受信側ファクシミリ本体以上の受信能力を有している場合、画像蓄積手段の受信能力で画像データを受信するので、画像蓄積手段の受信能力を活かした電子文書を得ることができる。
【００４９】
請求項７記載の発明によれば、例えば、画像蓄積手段にＪＢＩＧ符号化処理機能がある場合、ＪＢＩＧ画像を受信することができるので、通信時間を短縮することができる。
【００５０】
請求項８記載の発明によれば、例えば、画像蓄積手段に微細字能力（４００ｄｐｉ以上）がある場合、微細字能力で受信することができるので、解像度を下げることによる画像劣化を防ぐことができる。
【００５１】
請求項９記載の発明によれば、例えば、画像蓄積手段にＡ３記録幅の能力がある場合、Ａ３記録幅で受信することができる。
【図面の簡単な説明】
【図１】本発明の実施の形態におけるファクシミリ装置の構成を示すブロック図である。
【図２】本発明の実施の形態におけるファクシミリ装置のシステム概略図である。
【図３】本発明の実施の形態におけるファクシミリ装置の通信プロトコルのやりとりを示す図である。
【図４】本発明の第１の実施の形態におけるファクシミリ装置の動作を示すフローチャートである。
【図５】本発明の第２の実施の形態におけるファクシミリ装置の動作を示すフローチャートである。
【図６】本発明の第３の実施の形態におけるファクシミリ装置の動作を示すフローチャートである。
【符号の説明】
１  システム制御部
２  システムメモリ
３  画像メモリ
４  原稿読取部
５  印刷部
６  操作部
７  ＤＣＲ
８  Ｇ３モデム
９  ＮＣＵ
１０  Ｉ／Ｏインターフェイス
１１  画像蓄積システム
２１  送信ファクシミリ
２２  交換機
２３  受信ファクシミリ
２４  画像蓄積システム
【図１】
0003806597.tif 000002
【図２】
0003806597.tif 000003
【図３】
0003806597.tif 000004
【図４】
0003806597.tif 000005
【図５】
0003806597.tif 000006
【図６】
0003806597.tif 000007